(57)【要約】【課題】  音声収録のためにワイヤレスマイクロホンからビデオカメラ等に音声信号を入力させる音声伝送システムにおいて、操作性よく空き周波数を確認して、ワイヤレスマイクロホンの使用周波数を設定できるようにする。【解決手段】  ワイヤレスマイクロホンレシーバー１は、受信レベルに基づき、他の機器によって使用されていない電波の周波数を検出し、検出した周波数を示す空き周波数情報をビデオカメラ２に出力する。ビデオカメラ２は、レシーバー１から入力された空き周波数情報を、ビデオカメラ２に付属している表示手段４に表示させる。【選択図】  図１
2007036735.tif 000002
【特許請求の範囲】
【請求項１】
マイクロホンと、該マイクロホンからの音声信号によって変調した電波を送信する変調・送信手段とを有する音声送信装置と、
前記音声送信装置から送信された電波を受信して音声信号を復調する受信・復調手段を有し、前記受信・復調手段によって復調された音声信号を装置外部に出力する音声受信装置と、
前記音声受信装置から出力される音声信号が入力されるビデオカメラと
から成るワイヤレス音声伝送システムにおいて、
前記音声受信装置は、
前記受信・復調手段による電波の受信レベルに基づき、他の機器によって使用されていない電波の周波数を検出する検出手段
を備え、前記検出手段によって検出された周波数を示す空き周波数情報を前記ビデオカメラに出力し、
前記ビデオカメラは、
前記音声受信装置から入力された前記空き周波数情報を、該ビデオカメラに付属している表示手段に表示させる制御手段
を備えたことを特徴とするワイヤレス音声伝送システム。
【請求項２】
請求項１に記載のワイヤレス音声伝送システムにおいて、
前記ビデオカメラの前記制御手段は、前記空き周波数情報を要求する所定の操作が行われたことに応じて、前記空き周波数情報を要求するコマンドを前記音声受信装置に出力し、
前記音声受信装置は、
前記ビデオカメラから入力された前記コマンドに基づき、前記検出手段で検出を行わせて、前記空き周波数情報を前記ビデオカメラに出力する制御手段
をさらに備えたことを特徴とするワイヤレス音声伝送システム。
【請求項３】
請求項１に記載のワイヤレス音声伝送システムにおいて、
前記ビデオカメラの前記制御手段は、前記表示手段に表示される空き周波数の中から周波数を選択する所定の操作が行われたことに応じて、該選択された周波数を示す選択結果情報を前記音声受信装置に出力し、
前記音声受信装置は、
前記ビデオカメラから入力された前記選択結果情報に基づき、前記受信・復調手段に受信させる電波の周波数を設定する制御手段
をさらに備えたことを特徴とするワイヤレス音声伝送システム。
【請求項４】
請求項１に記載のワイヤレス音声伝送システムにおいて、
前記ビデオカメラは、
前記音声送信装置に対してデータを送信する送信手段
をさらに備え、
前記ビデオカメラの前記制御手段は、前記表示手段に表示される空き周波数の中から周波数を選択する所定の操作が行われたことに応じて、該選択された周波数を示す周波数選択情報を前記送信手段から前記音声送信装置に出力し、
前記音声送信装置は、
前記ビデオカメラの前記送信手段から送信された前記周波数選択情報に応じて、前記変調・送信手段から送信させる電波の周波数を設定する制御手段
をさらに備えたことを特徴とするワイヤレス音声伝送システム。
【請求項５】
請求項１に記載のワイヤレス音声伝送システムにおいて、
前記音声受信装置は、
前記受信・復調手段によって受信されている電波の受信状態を示すステータス情報を作成する作成手段
を備え、前記作成手段によって作成された前記ステータス情報を前記ビデオカメラに出力し、
前記ビデオカメラの前記制御手段は、前記ステータス情報を前記表示手段に表示させる
ことを特徴とするワイヤレス音声伝送システム。
【請求項６】
受信した電波から音声信号を復調する受信・復調手段と、
前記受信・復調手段による電波の受信レベルに基づき、他の機器によって使用されていない電波の周波数を検出する検出手段と、
前記音声受信装置を差し込むためのスロットを有する電子機器に装着されたときに該電子機器との間で通信を行うための通信用コネクタと
を備え、
前記受信・復調手段によって復調された音声信号と、前記検出手段によって検出された周波数を示す空き周波数情報とを、前記通信用コネクタから出力する
ことを特徴とする音声受信装置。
【請求項７】
請求項６に記載の音声受信装置において、
前記空き周波数情報を要求するコマンドが装置外部から入力されたことに基づき、前記検出手段で検出を行わせて、前記空き周波数情報を前記通信用コネクタから出力する制御手段
をさらに備えたことを特徴とする音声受信装置。
【請求項８】
請求項６に記載の音声受信装置において、
前記空き周波数情報が示す周波数の中のいずれかの周波数を選択する周波数選択情報が前記通信用コネクタから入力されたことに基づき、該周波数選択情報に応じて、前記受信・復調手段に受信させる電波の周波数を設定する制御手段
をさらに備えたことを特徴とする音声受信装置。
【請求項９】
請求項６に記載の音声受信装置において、
前記受信・復調手段によって受信されている周波数の電波の受信状態を示す受信ステータス情報を作成する手段
をさらに備え、前記受信ステータス情報を前記通信用コネクタから出力する
ことを特徴とする音声受信装置。
【請求項１０】
受信した電波から音声信号を復調する受信・復調手段と、
前記受信・復調手段による電波の受信レベルに基づき、他の機器によって使用されていない電波の周波数を検出する検出手段と、
オーディオ出力端子と、
データ通信用端子と
を備え、
前記受信・復調手段によって復調された音声信号を、前記オーディオ出力端子からオーディオケーブルを通して出力し、
前記検出手段によって検出された周波数を示す空き周波数情報を、前記データ通信用端子からデータ通信ケーブルを通して出力する
ことを特徴とする音声受信装置。
【請求項１１】
音声信号を外部から入力可能なビデオカメラにおいて、
他の機器によって使用されていない電波の周波数を示す空き周波数情報が該ビデオカメラの外部から入力されたことに基づき、該空き周波数情報を、該ビデオカメラに付属している表示手段に表示させる制御手段
を備えたことを特徴とするビデオカメラ。
【請求項１２】
請求項１１に記載のビデオカメラにおいて、
前記制御手段は、前記空き周波数情報を要求する所定の操作が行われたことに応じて、前記空き周波数情報を要求するコマンドを該ビデオカメラの外部に出力する
ことを特徴とするビデオカメラ。
【請求項１３】
請求項１１に記載のビデオカメラにおいて、
前記制御手段は、前記表示手段に表示される空き周波数の中から周波数を選択する所定の操作が行われたことに応じて、該選択された周波数を示す選択結果情報を該ビデオカメラの外部に出力する
ことを特徴とするビデオカメラ。
【請求項１４】
請求項１１に記載のビデオカメラにおいて、
前記制御手段は、電波の受信状態を示すステータス情報が該ビデオカメラの外部から入力されたことに基づき、該ステータス情報を表示手段に表示させる
ことを特徴とするビデオカメラ。
【請求項１５】
マイクロホンと、該マイクロホンからの音声信号によって変調した電波を送信する変調・送信手段とを有する音声送信装置と、
前記音声送信装置から送信された電波を受信して音声信号を復調する受信・復調手段を有し、前記受信・復調手段によって復調された音声信号を装置外部に出力する音声受信装置と、
前記音声受信装置から出力される音声信号が入力されるオーディオミキサーと
から成るワイヤレス音声伝送システムにおいて、
前記音声受信装置は、
前記受信・復調手段による電波の受信レベルに基づき、他の機器によって使用されていない電波の周波数を検出する検出手段
を備え、前記検出手段によって検出された周波数を示す空き周波数情報を前記オーディオミキサーに出力し、
前記ビデオカメラは、
前記音声受信装置から入力された前記空き周波数情報を、該オーディオミキサーに付属している表示手段に表示させる制御手段
を備えたことを特徴とするワイヤレス音声伝送システム。
【請求項１６】
音声信号のミキシングを行うオーディオミキサーにおいて、
他の機器によって使用されていない電波の周波数を示す空き周波数情報が該オーディオミキサーの外部から入力されたことに基づき、該空き周波数情報を、該オーディオミキサーに付属している表示手段に表示させる制御手段
を備えたことを特徴とするオーディオミキサー。
【請求項１７】
請求項１６に記載のオーディオミキサーにおいて、
前記制御手段は、電波の受信状態を示すステータス情報が該オーディオミキサーの外部から入力されたことに基づき、該ステータス情報を表示手段に表示させる
ことを特徴とするオーディオミキサー。
【発明の詳細な説明】
【技術分野】
【０００１】
本発明は、収録対象の音声をワイヤレスマイクロホンを用いて伝送させるシステムに関する。また本発明は、そうしたシステムを構成する音声受信装置，ビデオカメラ及びオーディオミキサーに関する。
【背景技術】
【０００２】
近年、ニュース番組等の取材現場では、ワイヤレスマイクロホンを用いて伝送した音声を収録するという取材形態が普及しつつある。図１１は、ワイヤレスマイクロホンの外観例を示す図である。ワイヤレスマイクロホントランスミッター（以下トランスミッターと呼ぶ）５１は、基本的な構成として、マイクロホンと、そのマイクロホンからの音声信号によって変調した電波を送信する変調・送信手段とを有している。ワイヤレスマイクロホントランスミッターレシーバー（以下レシーバーと呼ぶ）５２は、基本的な構成として、トランスミッター５１から送信された電波を受信して音声信号を復調する受信・復調手段を有しており、この復調した音声信号をトランスミッター５１の外部に出力する。
【０００３】
図１２は、音声収録のためにこのトランスミッター５１及びレシーバー５２を用いた音声伝送システムを例示する図である。図１２Ａの例では、トランスミッター５１は、インタビュアーが使用する。レシーバー５２は、ＶＴＲ一体型のビデオカメラ５３に装着（またはケーブルで接続）する。そして、レシーバー５２からビデオカメラ５３に入力された音声信号を、ビデオカメラ５３で撮影される映像とともにビデオカメラ５３に収録する。
【０００４】
図１２Ｂの例では、トランスミッター５１はインタビュアーが使用するが、レシーバー５２は、据置き型のオーディオミキサー５４にケーブル５５で接続する。そして、レシーバー５２からオーディオミキサー５４に入力された音声信号をオーディオミキサー５４内でミキシングまたはスイッチングし、オーディオミキサー５４から出力した音声信号を図示しないＶＴＲ（または、オーディオレコーダーや、図１２のビデオカメラ５３のようなＶＴＲ一体型のビデオカメラ）に収録する。
【０００５】
ところで、このトランスミッター５１やレシーバー５２のようなワイヤレスマイクロホンを用いる場合には、ワイヤレスマイクロホンで使用する電波の周波数を、取材現場の状況に応じて設定することが必要になる。
【０００６】
すなわち、ワイヤレスマイクロホンは、一般に、使用する電波の周波数を、所定の周波数帯の中から選択して設定することが可能になっている。しかし、他の機器（取材現場に集まっている他社の取材スタッフのワイヤレスマイクロホンや、同じ地域にあるテレビジョン放送局の送出系）によって取材現場で使用されている周波数と同じ周波数を選択すると、混信が起きてしまう。そこで、取材現場に到着した際に、その取材現場で使用されていない空き周波数を選択して設定することが必要になる。また、取材開始後も、場所の移動に伴う電波の状況の変化や、新たな混信の発生（新たな取材陣の参加等）に対応して、使用する周波数を設定し直すことが必要になる。
【０００７】
従来、取材現場でのこのワイヤレスマイクロホンの使用周波数の設定作業は、トランスミッター５１やレシーバー５２に設けられた周波数切り換え用の操作釦を操作し、試行錯誤的に空き周波数を探すことによって行われていた。
【０００８】
また、従来、図１２Ａに例示したようなワイヤレスマイクロホンとビデオカメラとから成るシステムとしては、ワイヤレスマイクロホンから音声信号（及びそのＲＦレベルを示す信号）のみをビデオカメラに出力するものや、あるいは、ワイヤレスマイクロホンから音声信号をビデオカメラに出力し、ビデオカメラからはワイヤレスマイクロホンの電源のオンオフを制御する制御信号をワイヤレスマイクロホンに出力するもの（例えば、特許文献１参照。）が存在するにとどまっていた。
【０００９】
【特許文献１】特開平５−１８３７８８号公報（段落００２１〜２３、図１）
【発明の開示】
【発明が解決しようとする課題】
【００１０】
しかし、従来のように試行錯誤的に周波数を設定する方法では、空き周波数が見つかるまでに時間がかかってしまう。そのため、特にニュース番組の取材のように機動性が要求される場面では、取材チャンスを逃してしまうことがある。
【００１１】
ここで、この周波数を設定作業を迅速に行うための方法としては、ワイヤレスマイクロホン（例えば図１１のレシーバー５２）に、空き周波数を自動検出する機能と、検出した空き周波数の情報を表示する機能とを搭載することにより、ワイヤレスマイクロホンに表示されるこの情報を見て空き周波数を確認し、その空き周波数を使用周波数として設定できるようにすることが考えられる。
【００１２】
しかし、図１２Ａに示したようにレシーバー５２をビデオカメラ５３に装着または接続する場合、特に取材開始後は、カメラマンがビデオカメラでの撮影中にレシーバー５２のほうの表示を見ることは、非常に操作性が悪い。
【００１３】
また、図１２Ｂに示したようにレシーバー５２をオーディオミキサー５４に接続する場合にも、取材開始後にオーディオミキサー５４を操作しながらレシーバー５２のほうの表示を見ることは、やはり非常に操作性が悪い。
【００１４】
さらに、図１２にはビデオカメラ５３や据置き型のオーディオミキサー５４に外部からレシーバー５２を装着または接続する例を示したが、将来的には、小型のビデオカメラやポータブル型のオーディオミキサーにレシーバーを内蔵することも考えられる。そのようにした場合には、レシーバーの表示を見ること自体が不可能になる。
【００１５】
本発明は、上述の点に鑑み、図１２に例示したような、音声収録のためにワイヤレスマイクロホンからビデオカメラやオーディオミキサーに音声信号を入力させる音声伝送システムにおいて、操作性よく空き周波数を確認して、ワイヤレスマイクロホンの使用周波数を設定できるようにすることを課題としてなされたものである。
【課題を解決するための手段】
【００１６】
本発明は、マイクロホンと、このマイクロホンからの音声信号によって変調した電波を送信する変調・送信手段とを有する音声送信装置（トランスミッター）と、この音声送信装置から送信された電波を受信して音声信号を復調する受信・復調手段を有し、この受信・復調手段によって復調された音声信号を装置外部に出力する音声受信装置（レシーバー）と、この音声受信装置から出力される音声信号が入力されるビデオカメラとから成るワイヤレス音声伝送システムにおいて、この音声受信装置は、この受信・復調手段による電波の受信レベルに基づき、他の機器によって使用されていない電波の周波数を検出する検出手段を備え、この検出手段によって検出された周波数を示す空き周波数情報をこのビデオカメラに出力し、このビデオカメラは、この音声受信装置から入力されたこの空き周波数情報を、このビデオカメラに付属している表示手段に表示させる制御手段を備えたワイヤレス音声伝送システムである。
【００１７】
また本発明は、マイクロホンと、このマイクロホンからの音声信号によって変調した電波を送信する変調・送信手段とを有する音声送信装置と、この音声送信装置から送信された電波を受信して音声信号を復調する受信・復調手段を有し、この受信・復調手段によって復調された音声信号を装置外部に出力する音声受信装置と、この音声受信装置から出力される音声信号が入力されるオーディオミキサーとから成るワイヤレス音声伝送システムにおいて、この音声受信装置は、この受信・復調手段による電波の受信レベルに基づき、他の機器によって使用されていない電波の周波数を検出する検出手段を備え、この検出手段によって検出された周波数を示す空き周波数情報をこのオーディオミキサーに出力し、このビデオカメラは、この音声受信装置から入力されたこの空き周波数情報を、このオーディオミキサーに付属している表示手段に表示させる制御手段を備えたワイヤレス音声伝送システムである。
【００１８】
また本発明は、これらのワイヤレス音声伝送システムを構成する音声受信装置，ビデオカメラ及びオーディオミキサーである。
【００１９】
本発明によれば、図１２に例示したように音声収録のためにワイヤレスマイクロホンからビデオカメラやオーディオミキサーに音声信号を入力させる音声伝送システムにおいて、音声受信装置（レシーバー）が、空き周波数を自動検出して、検出した周波数を示す空き周波数情報をビデオカメラやオーディオミキサーに入力させる。
【００２０】
すなわち、ワイヤレスマイクロホンから音声信号をビデオカメラやオーディオミキサーに出力するだけでなく、空き周波数情報というデータをワイヤレスマイクロホンからビデオカメラやオーディオミキサーに出力する。
【００２１】
そして、ビデオカメラやオーディオミキサーは、ワイヤレスマイクロホンから入力されたこの空き周波数情報を、ビデオカメラやオーディオミキサーに付属している表示手段に表示させる。
【００２２】
これにより、カメラマンは、ビデオカメラ自体に表示される情報を見て空き周波数を確認することができ、オーディオミキサーを操作するスタッフは、オーディオミキサー自体に表示される情報を見て空き周波数を確認することができる。
【００２３】
したがって、カメラマンやオーディオミキサーの操作スタッフが、操作性よく空き周波数を確認して、ワイヤレスマイクロホンの使用周波数を設定できるようになる。
【発明の効果】
【００２４】
本発明によれば、音声収録のためにワイヤレスマイクロホンからビデオカメラやオーディオミキサーに音声信号を入力させる音声伝送システムにおいて、操作性よく空き周波数を確認して、ワイヤレスマイクロホンの使用周波数を設定することができるという効果が得られる。
【発明を実施するための最良の形態】
【００２５】
以下、本発明の実施の形態を図面を用いて具体的に説明する。なお、以下では、ワイヤレスマイクロホンからＶＴＲ一体型のビデオカメラに音声信号を入力させるシステムと、ワイヤレスマイクロホンからオーディオミキサーに音声信号を入力させるシステムとの２つのシステムについて説明する。
【００２６】
〔ビデオカメラに音声信号を入力させるシステム〕
図１は、本発明を適用した音声伝送システムの一例を示す図である。このシステムは、図１２Ａに例示したシステムと同様に、ニュース番組等の取材現場で、ワイヤレスマイクロホンを用いて伝送した音声を、ＶＴＲ一体型のビデオカメラに入力させるようにしたものである。
【００２７】
ワイヤレスマイクロホントランスミッターレシーバー（以下レシーバーと呼ぶ）１は、ＶＴＲ一体型のビデオカメラ２の後部に設けられたレシーバ差込用のスロットに装着される。ワイヤレスマイクロホントランスミッター（以下トランスミッターと呼ぶ）３は、インタビュアーが使用する。そして、トランスミッター３からレシーバー１に伝送された音声信号が、レシーバー１からビデオカメラ２に入力されて、ビデオカメラ２で撮影される映像とともにビデオカメラ２に収録される。
【００２８】
さらに、このシステムでは、レシーバー１で、他の機器（取材現場に集まっている他社の取材スタッフのワイヤレスマイクロホンや、同じ地域にあるテレビジョン放送局の送出系）によって取材現場で使用されていない周波数が検出される。そして、検出された周波数を示すデータ（空き周波数情報）が、レシーバー１からビデオカメラ２に入力される。
【００２９】
ビデオカメラ２では、この空き周波数情報を、ビデオカメラ２に付属しているビューファインダー４に表示される。また、この空き周波数の中から選択された周波数を示すデータ（周波数選択情報）が、ビデオカメラ２から赤外線通信によってトランスミッター３に送られる。
【００３０】
次に、このようなデータの入出力や表示を行うための構成について説明する。図２は、レシーバー１の構成を示しており、図２Ａは外観の正面図、図２Ｂは回路構成を示すブロック図である。
【００３１】
図２Ａに示すように、レシーバー１は、本体の上部にダイバーシチ受信のための２本の受信アンテナ（ブランチ）５及び６が設けられ、本体の下面に通信用コネクター７が設けられている。通信用コネクター７は、図示は省略するが、音声信号出力用のピンを有するとともに、データ通信用のピン（シリアル通信フォーマットの一つであるＲＳ２３２Ｃによってデータ通信を行うためのピン）を有している。
【００３２】
ダイバーシチ受信方式の音声受信装置の一般的な構成は周知であるので、図２Ｂにはレシーバー１の回路構成を簡略して示している。レシーバー１内では、図２Ａの受信アンテナ５で受信された電波からＲＦ増幅器８，周波数選択回路（通過帯域を可変なバンドパスフィルタ等）９を経て復調回路１０で音声信号が復調されるとともに、図２Ａの受信アンテナ６で受信された電波からＲＦ増幅器１１，周波数選択回路１２を経て復調回路１３で音声信号が復調される。
【００３３】
そして、ブランチ選択回路１４において、周波数選択回路９，１２の出力等に基づき、復調回路１０，１３のいずれかからの音声信号が選択される。ブランチ選択回路１４で選択された音声信号は、通信用コネクター７の前述の音声信号出力用のピンから外部（図１ではビデオカメラ３）に出力される。
【００３４】
ＣＰＵ１５は、レシーバー１内の各部を制御するとともに、通信用コネクター７の前述のデータ通信用のピンを介して外部（図１ではビデオカメラ３）との間でデータ通信を行う。
【００３５】
レシーバー１及び図１のトランスミッター３では、使用する電波の周波数を、所定の周波数帯（グループ）の中から選択して（レシーバー１では、周波数選択回路９，１２で選択して）設定するようになっている。
【００３６】
図３は、この周波数帯の一例を示す。この例では、アメリカ合衆国におけるテレビジョン放送用の周波数の一つであるＴＶ６８ｃｈの６８−１（７９４．１２５ＭＨｚ）から６８−４７（７９９．８７５ＭＨｚ）までの４７の周波数の中から、使用する周波数を選択することが可能になっている。なお、この周波数帯（グループ）は、固定されているものではなく、レシーバー１の場合には、通信用コネクター７を介してＣＰＵ１５に送られるデータによって設定されるようになっている。
【００３７】
図４は、通信用コネクター７を介してレシーバー１で送受信されるシリアルデータの具体例を示す図である。このうち、「周波数設定」は、レシーバー１・トランスミッター３間で使用する周波数を設定させるコマンド（レシーバー１が受信するコマンド）である。「周波数ステータス」は、「周波数設定」コマンドに基づいて設定した周波数を示すデータ（レシーバー１が送信するデータ）である。
【００３８】
「グループ・チャンネル設定」は、図３に例示したような周波数帯（グループ）を設定させるコマンド（レシーバー１が受信するコマンド）である。「グループ・チャンネルステータス」は、「グループ・チャンネル設定」コマンドに基づいて設定した周波数帯（グループ）を示すデータ（レシーバー１が送信するデータ）である。
【００３９】
「TONEスケルチ、NOISEスケルチ、MUTING設定」は、トーンスケルチ機能、ノイズスケルチ機能、ミューティングのオン／オフを設定させるコマンド（レシーバー１が受信するコマンド）である。トーンスケルチとは、トーンが存在する状態（或る決められた周波数でRFを出している状態）以外はミューティングすることにより、ノイズが出ないようにする機能である。ノイズスケルチとは、オーディオ信号のノイズレベルが基準を超えるとミューティングする機能である。
【００４０】
「RFスケルチレベル設定」は、RFスケルチレベルをかける値を設定させるコマンド（レシーバー１が受信するコマンド）である。RFスケルチとは、受信しているRF信号が所定のレベル未満になるとミューティングする機能である。
【００４１】
「バッテリーステータス」は、図１のトランスミッター３に内蔵されているバッテリーの電圧を示すデータ（レシーバー１が送信するデータ）である。
【００４２】
「RFレベルステータス」は、レシーバー１が受信しているRF信号のレベルを示すデータ（レシーバー１が送信するデータ）である。
【００４３】
「AFレベルステータス」は、レシーバー１が受信しているRF信号から抽出したオーディオ信号の音声レベルであるAFレベルを示すデータ（レシーバー１が送信するデータ）である。
【００４４】
「メッセージ設定」は、メッセージとして文字情報（例えばユーザー名）を設定させるコマンド（レシーバー１が受信するコマンド）である。
【００４５】
「空き周波数サーチ」は、前述の「グループ・チャンネル設定」コマンドに基づいて設定した周波数帯の中から、他の機器によって使用されていない空き周波数を検出させるコマンド（レシーバー１が受信するコマンド）である。「空き周波数ステータス」は、「空き周波数サーチ」コマンドに基づいて検出した空き周波数を示すデータ（レシーバー１が送信するデータ）である。
【００４６】
なお、図４には示していないが、「周波数ステータス」や、「グループ・チャンネルステータス」や、「TONEスケルチ、NOISEスケルチ、MUTING設定」コマンドに基づく設定結果のステータスや、「RFスケルチレベル設定コマンド」に基づく設定結果のステータスや、「バッテリーステータス」や、「RFレベルステータス」や、「AFレベルステータス」や、「メッセージ設定」コマンドに基づく設定結果のステータスを要求するコマンドも、通信用コネクター７を介して送受信（レシーバー１で受信）される。
【００４７】
図５は、レシーバー１内のＣＰＵ１５が「空き周波数サーチ」コマンドに基づいて実行する空き周波数検出方法を、図３に示した周波数帯を例にとって示す図である。まず、図３の６８−１チャンネルの周波数である７９４．１２５ＭＨｚの近傍の周波数範囲にウィンドウを設けて（図２の構成に則していえば、周波数選択回路９，１２で７９４．１２５ＭＨｚの近傍の周波数範囲を選択して）、この周波数範囲の電波のＲＦレベルを測定する。そして、そのＲＦレベルがＲＦスケルチレベル（前述の「RFスケルチレベル設定」コマンドに基づいて設定したレベル）以上であれば、７９４．１２５ＭＨｚが使用中であると判断する。
【００４８】
続いて、このウィンドウを、図３の６８−２チャンネルの周波数である７９４．２５０ＭＨｚの近傍の周波数範囲に移動して（図２の周波数選択回路９，１２で７９４．２５０ＭＨｚの近傍の周波数範囲を選択して）、この周波数範囲の電波のＲＦレベルを測定する。そのＲＦレベルが今度はＲＦスケルチレベル未満であれば、７９４．２５０ＭＨｚは空き周波数であると判断する。
【００４９】
以下、このウィンドウを図３の６８−３〜６８−４７の各チャンネルの近傍の周波数範囲に順次スキャンさせて、同様な処理を繰り返す。
【００５０】
図１のビデオカメラ２は、撮像系，映像処理系，音声処理系，記録再生系（ＶＴＲ部）の部分については、通常のＶＴＲ一体型のＶＴＲと全く同様な構成をしている。図６は、ビデオカメラ２内の構成のうち、本発明に関連する部分のみを示すブロック図である。
【００５１】
ビデオカメラ２には、レシーバー１の通信用コネクター７（図２）に対応して、音声信号入力用のピンとデータ通信用のピン（ＲＳ２３２Ｃによってデータ通信を行うためのピン）とを有する通信用コネクター１６が設けられている。
【００５２】
通信用コネクター１６から入力した音声信号は、音声処理系（図示略）を経てＶＴＲ部（図示略）に記録される。
【００５３】
ＣＰＵ１７は、ビデオカメラ２内の各部を制御するプロセッサであるが、本発明に関連する処理として、操作パネル２１の操作に基づき、通信用コネクター１６の前述のデータ通信用のピンを介して外部（図１ではレシーバー１）との間でデータ通信を行う。そして、その通信結果に基づき、ＬＣＤドライバ１８（図１のビューファインダー４を構成しているＬＣＤ１９を駆動する回路）及び赤外線送信部２０を制御する。
【００５４】
操作パネル２１には、図示は省略するが、通常のＶＴＲ一体型のＶＴＲにおけるのと同じ機能の操作釦に加えて、下記の操作釦が設けられている。
(1)空き周波数情報を要求するための操作釦（以下、「空き周波数釦」と呼ぶ。）
(2)表示される空き周波数の中から周波数を選択するための操作釦（以下、「周波数選択釦」と呼ぶ。）
(3)電波の受信状態を示すステータス情報を要求するための操作釦（以下、「ステータス釦」と呼ぶ。）
【００５５】
次に、図１のようにビデオカメラ２にレシーバー１が装着されている状態での、この「空き周波数釦」，「周波数選択釦」及び「ステータス釦」の操作に基づくビデオカメラ２及びレシーバー１の処理について説明する。
【００５６】
「空き周波数釦」が操作されると、ビデオカメラ２内のＣＰＵ１７は、「空き周波数サーチ」コマンド（図４）を、通信用コネクター１６を介してレシーバー１に送信する。
【００５７】
レシーバー１内のＣＰＵ１５（図２）は、この「空き周波数サーチ」コマンドに基づいて前出の図５の方法で空き周波数を検出し、「空き周波数ステータス」（図４）を通信用コネクター７を介してビデオカメラ２に返送する。
【００５８】
ビデオカメラ２内のＣＰＵ１７は、この「空き周波数ステータス」に基づき、ＬＣＤドライバ１８を制御して、現在の空き周波数情報をビューファインダー４（図１）に表示させる（ビデオカメラ２の撮像系で撮影されている映像をビューファインダー４で表示しているときには、表示を切り換える）。
【００５９】
図７は、この空き周波数情報の表示画面の一例を示す図である。最初は、図７Ａに示すような画面を表示させる。この画面には、次のような欄や釦が設けられている。
(1)「グループ・チャンネル設定」コマンド（図４）に基づいて予め設定されている周波数帯（グループ）のグループ番号（ここでは００），テレビチャンネル番号（ここでは図３のＴＶ６８ｃｈ）をそれぞれ表示する欄２２，２３
(2)欄２２及び２３に表示されている周波数帯（グループ）内の個々の周波数チャンネル（ここでは図３の６８−１チャンネルから６８−４７チャンネルまで）のＲＦレベルを、一度に所定数（図では１６個）のチャンネルずつ表示する欄２４
(3)欄２４に表示する周波数チャンネルの番号を前方，後方にそれぞれ切り換えるための釦２５，２６
【００６０】
この図７Ａの画面を表示している状態で、欄２４からいずれかの周波数チャンネルを指定する操作が操作パネル２１で行われると、その指定された周波数チャンネルについて、図７Ｂに示すような画面を表示させる。この画面には、次のような欄や釦が設けられている。
(1)指定された周波数チャンネルの番号（ここでは図３の６８−０３），周波数（ここでは７９４．３７５ＭＨｚ）をそれぞれ表示する欄２７，２８
(2)欄２７及び２８に表示されている周波数チャンネルについてのＲＦレベル（白抜きの棒グラフ）及びＲＦスケルチレベル（斜線の棒グラフ）を表示する欄２９（Ａの棒グラフは図２の受信アンテナ５についての電波受信レベル、Ｂの棒グラフは図２の受信アンテナ６についての電波受信レベルである。）
(3)欄２７及び２８に表示されている周波数チャンネルが使用中であるときチェックマークを表示する欄３０
【００６１】
この図７Ａまたは図７Ｂの画面が表示されている状態で、操作パネル２１中の前述の「周波数選択釦」でいずれかの空き周波数（図７Ｂの欄３０にチェックマークが表示されない周波数チャンネル）が選択されると、ビデオカメラ２内のＣＰＵ１７は、その選択された空き周波数を使用させる「周波数設定」コマンド（図４）を、通信用コネクター１６を介してレシーバー１に送信する。
【００６２】
レシーバー１内のＣＰＵ１５は、この「周波数設定」コマンドに基づき、受信周波数（図２の周波数選択回路９，１２で選択する周波数）を設定する。そして、「周波数ステータス」（図４）を、通信用コネクター７を介してビデオカメラ２に返送する。
【００６３】
また、ビデオカメラ２内のＣＰＵ１７は、その選択された空き周波数を使用させる「周波数設定」コマンド（図４）を、赤外線送信部２０（図６）を介して図１のトランスミッター３に送信する。
【００６４】
トランスミッター３は、一般的なワイヤレスマイクロホントランスミッターと同様に、マイクロホンと、そのマイクロホンからの音声信号によって変調した電波（並びに、トランスミッター内のバッテリーの電圧が低下した事を示す音声帯域外の信号によって変調した電波）を送信する変調・送信手段とを有している以外に、図示は省略するが、赤外線受信部と、この赤外線受信部で受信したコマンドに基づいて送信周波数を設定するＣＰＵとを有している。そして、ビデオカメラ２からの「周波数設定」コマンドに基づいて送信周波数を設定する。
【００６５】
これにより、ビデオカメラ２の操作パネル２１中の「周波数選択釦」で選択された周波数を使用して、トランスミッター３からレシーバー１に音声信号が伝送される。そして、その音声信号が、レシーバー１からビデオカメラ２に入力してビデオカメラ２に収録される。
【００６６】
このようにしてトランスミッター３からレシーバー１に音声信号が伝送されている状態で、操作パネル２１中の前述の「ステータス釦」が操作されると、ビデオカメラ２内のＣＰＵ１７は、図４の「周波数ステータス」，「グループ・チャンネルステータス」，「バッテリーステータス」，「RFレベルステータス」及び「AFレベルステータス」と、図４の「TONEスケルチ、NOISEスケルチ、MUTING設定」コマンド，「RFスケルチレベル設定コマンド」及び「メッセージ設定」コマンドに基づく設定結果のステータスとを要求するコマンドを、通信用コネクター１６を介してレシーバー１に送信する。
【００６７】
レシーバー１内のＣＰＵ１５は、このコマンドで要求された各ステータスを、通信用コネクター７を介してビデオカメラ２に返送する。
【００６８】
ビデオカメラ２内のＣＰＵ１７は、これらのステータスに基づき、ＬＣＤドライバ１８を制御して、現在の受信ステータスをビューファインダー４（図１）に表示させる（ビデオカメラ２の撮像系で撮影されている映像をビューファインダー４で表示しているときには、表示を切り換える）。
【００６９】
図８は、この受信ステータスの表示画面の一例を示す図である。この画面には、次のような欄が設けられている。
(1)ユーザーの名前や識別名が表示される欄３１
(2)使用している周波数，チャンネル番号がそれぞれ表示される欄３２，３３
(3)設定されている周波数帯（グループ）のグループ番号が表示される欄３４
(4)トランスミッター３内のバッテリーが一定時間後に消耗することを点灯によって警告する欄３５
(5)ＲＦレベルがＲＦスケルチレベルよりも高くなったことを、点灯する色を変化させることによって警告する欄３６
(6)トーンスケルチ機能のオン／オフ状態を表示する欄３７
(7)ノイズスケルチ機能のオン／オフ状態を表示する欄３８
(8)使用している周波数についてのＲＦレベル（白抜きの棒グラフ）及びＲＦスケルチレベル（斜線の棒グラフ）を表示する欄３９（Ａの棒グラフは図２の受信アンテナ５についてのレベル、Ｂの棒グラフは図２の受信アンテナ６についてのレベルである。）
(9)使用している周波数についてのＡＦレベルを表示する欄４０
【００７０】
次に、図１に示したシステムにおいて、ビデオカメラ２を操作するカメラマンが、レシーバー１及びトランスミッター３で使用する電波の周波数を設定する様子について説明する。
【００７１】
カメラマンは、取材現場に到着した際に、他の機器（取材現場に集まっている他社の取材スタッフのワイヤレスマイクロホンや、同じ地域にあるテレビジョン放送局の送出系）によってその取材現場で使用されていない空き周波数を選択するために、まずビデオカメラ２の操作パネル中の「空き周波数釦」を操作する。
【００７２】
すると、ビデオカメラ２からレシーバー１に「空き周波数サーチ」コマンドが送られ、図５の方法で検出した空き周波数を示す「空き周波数ステータス」がレシーバー１からビデオカメラ２に返送されて、ビデオカメラ２のビューファインダー４に図７のように空き周波数情報が表示される。
【００７３】
カメラマンは、ビューファインダー４のこの空き周波数情報の表示を見て現在の空き周波数を確認し、ビデオカメラ２の操作パネル中の「周波数選択釦」でいずれかの空き周波数を選択する。
【００７４】
すると、その選択された空き周波数を使用させる「周波数設定」コマンドがビデオカメラ２からレシーバー１及びトランスミッター３に送られて、レシーバー１及びトランスミッター３で使用する周波数がその空き周波数に設定される。
【００７５】
これにより、他の機器との混信を起こすことなく、取材を開始して音声を収録することができる。
【００７６】
その後、カメラマンは、取材の最中に、必要に応じて（例えば、場所を移動した際や、周囲に新たな取材陣が参加してきた際に）、ビデオカメラ２の操作パネル中の「ステータス釦」を操作する。
【００７７】
すると、ビデオカメラ２からレシーバー１にステータスを要求するコマンドが送られ、要求されたステータスがレシーバー１からビデオカメラ２に返送されて、ビデオカメラ２のビューファインダー４に図８のように受信ステータスが表示される。
【００７８】
取材開始時に選択した空き周波数でも、その後の場所の移動に伴う電波の状況の変化や、新たな取材陣の参加に伴い、受信レベルが低下したり、混信が発生することがある。カメラマンは、ビューファインダー４のこの受信ステータスの表示（特に図８の欄３６〜３９）を見て、現在の受信状態を確認することができる。
【００７９】
そして、受信状態が悪くなった場合には、取材現場に到着したときと全く同様にしてビデオカメラ２の「空き周波数釦」や「周波数選択釦」を操作して、レシーバー１及びトランスミッター３で使用する周波数を、受信状態の良い別の周波数に設定し直すことができる。
【００８０】
このように、このシステムによれば、ビデオカメラ２で撮影を行うカメラマンが、ビデオカメラ２の操作パネルの操作により、ビデオカメラ２自体のビューファインダー４に空き周波数情報を表示させて、空き周波数を確認することができる。そして、ビデオカメラ２の操作パネルの操作により、レシーバー１及びトランスミッター３の使用周波数を設定することができる。
【００８１】
したがって、操作性よく空き周波数を確認して、レシーバー１及びトランスミッター３の使用周波数を素早く設定することができる。
【００８２】
さらに、このシステムによれば、レシーバー１及びトランスミッター３の使用周波数を設定した後にも、ビデオカメラ２で撮影を行うカメラマンが、ビデオカメラ２の操作パネルの操作により、ビデオカメラ２自体のビューファインダー４に受信ステータスを表示させて、現在の受信状態を確認することができる。
【００８３】
したがって、取材の開始後も、操作性よく現在の受信状態を確認して、受信状態が悪くなった場合にレシーバー１及びトランスミッター３の使用周波数を素早く設定し直すことができる。
【００８４】
これにより、ニュース番組の取材のように機動性が要求される場面でも、取材チャンスを逃さずに音声を収録することが可能になる。
【００８５】
〔オーディオミキサーに音声信号を入力させるシステム〕
次に、図９は、本発明を適用した音声伝送システムの別の一例を示す図であり、図１と共通する部分には同一符号を付している。このシステムは、図１２Ｂに例示したシステムと同様に、ニュース番組等の取材現場で、ワイヤレスマイクロホンを用いて伝送した音声をオーディオミキサーに入力させるようにしたものである。
【００８６】
トランスミッター３はインタビュアーが使用し、レシーバー１はポータブル型のオーディオミキサー４１に内蔵（アンテナ部分が露出するようにしてオーディオミキサー４１内に固定）される。オーディオミキサー４１の前面には、ＬＣＤ表示部４２及び操作パネル４３が設けられている。オーディオミキサー４１は、インタビュアー自身が肩紐で肩に掛けるなどして使用してもよいし、他のスタッフが使用してもよい。そして、トランスミッター３からレシーバー１に伝送された音声信号が、レシーバー１からオーディオミキサー４１に入力され、オーディオミキサー４１から出力された音声信号が、図示しないＶＴＲ（または図１のビデオカメラ２のようなＶＴＲ一体型のビデオカメラ）に収録される。
【００８７】
レシーバー１及びトランスミッター３の構成や処理は、図１のシステムにおいて説明したのと全く同じである。
【００８８】
オーディオミキサー４１は、音声処理系の部分（音量を調整するイコライザー，フェーダや、音声のミキシングやスイッチングを行う回路）については、通常のオーディオミキサーと全く同様な構成をしている。図１０は、オーディオミキサー４１内の構成のうち、本発明に関連する部分のみを示すブロック図である。
【００８９】
オーディオミキサー４１には、レシーバー１の通信用コネクター７（図２）に対応して、音声信号入力用のピンとデータ通信用のピン（ＲＳ２３２Ｃによってデータ通信を行うためのピン）とを有する通信用コネクター４４が設けられている。
【００９０】
通信用コネクター４４から入力した音声信号は、音声処理系（図示略）を経て、オーディオミキサー４１から出力される。
【００９１】
ＣＰＵ４５は、オーディオミキサー４１内の各部を制御するプロセッサであるが、本発明に関連する処理として、操作パネル４３（図９）の操作に基づき、通信用コネクター４４の前述のデータ通信用のピンを介して外部（図９ではレシーバー１）との間でデータ通信を行う。そして、その通信結果に基づき、ＬＣＤドライバ４６（図９のＬＣＤ表示部４２を構成しているＬＣＤ４７を駆動する回路）及び赤外線送信部４８を制御する。ＣＰＵ４５のこの処理は、図１のシステムにおいてビデオカメラ２内のＣＰＵ１７（図６）が実行する処理と全く同じである。
【００９２】
操作パネル４３には、図示は省略するが、通常のオーディオミキサーにおけるのと同じ機能の操作釦に加えて、図１のシステムのビデオカメラ２の操作パネルに設けられているのと同じ機能の「空き周波数釦」，「周波数選択釦」及び「ステータス釦」が設けられている。
【００９３】
この図９のシステムによれば、図１のシステムにおけるのと同様にして、オーディオミキサー４１を操作するスタッフ（インタビュアーまたは他のスタッフ）が、オーディオミキサー４１の操作パネル４３の操作により、オーディオミキサー４１自体のＬＣＤ表示部４２に空き周波数情報を表示させて、空き周波数を確認することができる。そして、オーディオミキサー４１の操作パネル４３の操作により、レシーバー１及びトランスミッター３の使用周波数を設定することができる。
【００９４】
したがって、操作性よく空き周波数を確認して、レシーバー１及びトランスミッター３の使用周波数を素早く設定することができる。
【００９５】
さらに、図１のシステムにおけるのと同様にして、レシーバー１及びトランスミッター３の使用周波数を設定した後にも、オーディオミキサー４１の操作パネル４３の操作により、オーディオミキサー４１自体のＬＣＤ表示部４２に受信ステータスを表示させて、現在の受信状態を確認することができる。
【００９６】
したがって、取材の開始後も、操作性よく現在の受信状態を確認して、受信状態が悪くなった場合にレシーバー１及びトランスミッター３の使用周波数を素早く設定し直すことができる。
【００９７】
これにより、ニュース番組の取材のように機動性が要求される場面でも、取材チャンスを逃さずに音声を収録することが可能になる。
【００９８】
なお、図１に例示したシステムでは、レシーバ差込用のスロットを有するビデオカメラ２にレシーバー１を装着している。しかし、これに限らず、レシーバ差込用のスロットを設けられないような小型のビデオカメラに、ケーブルでレシーバー１を接続したり、あるいはレシーバー１を内蔵するようにしてもよい。
【００９９】
また、図９に例示したシステムではレシーバー１をオーディオミキサー４１に内蔵しているが、レシーバ差込用のスロットを設けたオーディオミキサーにレシーバー１を装着するようにしてもよい。
【０１００】
また、図１に例示したシステムでは、ＶＴＲ一体型のビデオカメラにレシーバー１を装着している。しかし、これに限らず、ＶＴＲ以外の記録装置（例えば光ディスク装置）が一体となったビデオカメラにレシーバー１を装着したり、あるいは、記録装置が一体になっていないビデオカメラにレシーバー１を装着する（レシーバー１からそのビデオカメラに入力した音声信号を、そのビデオカメラからＶＴＲ等に出力する）ようにしてもよい。
【０１０１】
また、図９に例示したシステムでは、ニュース番組等の取材現場で、ワイヤレスマイクロホンを用いて伝送した音声をオーディオミキサー４１に入力させるようにしている。しかし、別の例として、コンサートホールやライブ会場等で、ワイヤレスマイクロホンを用いて伝送した音声（歌手の歌声や楽器の演奏音）をオーディオミキサー４１に入力させるようにしてもよい。その場合にも、公演中に操作性よく現在の受信状態を確認し、例えばトランスミッター３内のバッテリーが消耗する前に別のトランスミッター３に交換することができるので、円滑に公演を遂行することができるようになる。
【０１０２】
また、図１や図９に例示したシステムでは、ビデオカメラ２やオーディオミキサー４１から、赤外線通信によってトランスミッター３に「周波数設定」コマンドを送信している。しかし、これに限らず、赤外線以外の無線通信方式によってビデオカメラ２やオーディオミキサー４１からトランスミッター３に「周波数設定」コマンドを送ったり、あるいは、ワイヤードでビデオカメラ２やオーディオミキサー４１からトランスミッター３に「周波数設定」コマンドを送るようにしてもよい。
【図面の簡単な説明】
【０１０３】
【図１】本発明を適用した音声伝送システムの一例を示す図である。
【図２】図１のレシーバーの構成を示す図である。
【図３】図１のレシーバー及びトランスミッターが使用する周波数帯の一例を示す図である。
【図４】図１のレシーバーで送受信されるシリアルデータの種類を示す図である。
【図５】図１のレシーバーが実行する空き周波数検出方法を例示する図である。
【図６】図１のビデオカメラ内の構成のうち、本発明に関連する部分を示すブロック図である。
【図７】図１のビデオカメラのビューファインダーでの空き周波数情報の表示例を示す図である。
【図８】図１のビデオカメラのビューファインダーでの受信ステータスの表示例を示す図である。
【図９】本発明を適用した音声伝送システムの別の一例を示す図である。
【図１０】図９のオーディオミキサー内の構成のうち、本発明に関連する部分を示すブロック図である。
【図１１】ワイヤレスマイクロホンの外観例を示す図である。
【図１２】ワイヤレスマイクロホントランスミッターを用いた音声伝送システムを例示する図である。
【符号の説明】
【０１０４】
１  ワイヤレスマイクロホンレシーバー、  ２  ビデオカメラ、  ３  ワイヤレスマイクロホントランスミッター、  ４  ビューファインダー、  ５，６  受信アンテナ（ブランチ）  ７  通信用コネクター、  ８，１１  ＲＦ増幅器、  ９，１２  周波数選択回路、  １０，１３  復調回路、  １４  ブランチ選択回路、  １５  ＣＰＵ、  １６  通信用コネクター、  １７  ＣＰＵ、  １８  ＬＣＤドライバ、  １９  ＬＣＤ、  ２０  赤外線送信部、  ２１  操作パネル、  ４１  オーディオミキサー、  ４２  ＬＣＤ表示部、  ４２  操作パネル、  ４４  通信用コネクター、  ４５  ＣＰＵ、  ４６  ＬＣＤドライバ４６、  ４７  ＬＣＤ、  ４８  赤外線送信部
【図１】
2007036735.tif 000003
【図２】
2007036735.tif 000004
【図３】
2007036735.tif 000005
【図４】
2007036735.tif 000006
【図５】
2007036735.tif 000007
【図６】
2007036735.tif 000008
【図７】
2007036735.tif 000009
【図８】
2007036735.tif 000010
【図９】
2007036735.tif 000011
【図１０】
2007036735.tif 000012
【図１１】
2007036735.tif 000013
【図１２】
2007036735.tif 000014
【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
マイクロホンと、該マイクロホンからの音声信号によって変調した電波を送信する変調・送信手段とを有する音声送信装置と、
前記音声送信装置から送信された電波を受信して音声信号を復調する受信・復調手段を有し、前記受信・復調手段によって復調された音声信号を装置外部に出力する音声受信装置と、
前記音声受信装置から出力される音声信号が入力されるビデオカメラと
から成るワイヤレス音声伝送システムにおいて、
前記音声受信装置は、
前記受信・復調手段による電波の受信レベルに基づき、他の機器によって使用されていない電波の周波数を検出する検出手段
を備え、前記検出手段によって検出された周波数を示す空き周波数情報を前記ビデオカメラに出力し、
前記ビデオカメラは、
前記音声受信装置から入力された前記空き周波数情報を、該ビデオカメラに付属している表示手段に表示させる制御手段
を備えたことを特徴とするワイヤレス音声伝送システム。
【請求項２】
請求項１に記載のワイヤレス音声伝送システムにおいて、
前記ビデオカメラの前記制御手段は、前記空き周波数情報を要求する所定の操作が行われたことに応じて、前記空き周波数情報を要求するコマンドを前記音声受信装置に出力し、
前記音声受信装置は、
前記ビデオカメラから入力された前記コマンドに基づき、前記検出手段で検出を行わせて、前記空き周波数情報を前記ビデオカメラに出力する制御手段
をさらに備えたことを特徴とするワイヤレス音声伝送システム。
【請求項３】
請求項１に記載のワイヤレス音声伝送システムにおいて、
前記ビデオカメラの前記制御手段は、前記表示手段に表示される空き周波数の中から周波数を選択する所定の操作が行われたことに応じて、該選択された周波数を示す選択結果情報を前記音声受信装置に出力し、
前記音声受信装置は、
前記ビデオカメラから入力された前記選択結果情報に基づき、前記受信・復調手段に受信させる電波の周波数を設定する制御手段
をさらに備えたことを特徴とするワイヤレス音声伝送システム。
【請求項４】
請求項１に記載のワイヤレス音声伝送システムにおいて、
前記ビデオカメラは、
前記音声送信装置に対してデータを送信する送信手段
をさらに備え、
前記ビデオカメラの前記制御手段は、前記表示手段に表示される空き周波数の中から周波数を選択する所定の操作が行われたことに応じて、該選択された周波数を示す周波数選択情報を前記送信手段から前記音声送信装置に出力し、
前記音声送信装置は、
前記ビデオカメラの前記送信手段から送信された前記周波数選択情報に応じて、前記変調・送信手段から送信させる電波の周波数を設定する制御手段
をさらに備えたことを特徴とするワイヤレス音声伝送システム。
【請求項５】
請求項１に記載のワイヤレス音声伝送システムにおいて、
前記音声受信装置は、
前記受信・復調手段によって受信されている電波の受信状態を示すステータス情報を作成する作成手段
を備え、前記作成手段によって作成された前記ステータス情報を前記ビデオカメラに出力し、
前記ビデオカメラの前記制御手段は、前記ステータス情報を前記表示手段に表示させる
ことを特徴とするワイヤレス音声伝送システム。
【請求項６】
受信した電波から音声信号を復調する受信・復調手段と、
前記受信・復調手段による電波の受信レベルに基づき、他の機器によって使用されていない電波の周波数を検出する検出手段と、
前記音声受信装置を差し込むためのスロットを有する電子機器に装着されたときに該電子機器との間で通信を行うための通信用コネクタと
を備え、
前記受信・復調手段によって復調された音声信号と、前記検出手段によって検出された周波数を示す空き周波数情報とを、前記通信用コネクタから出力する
ことを特徴とする音声受信装置。
【請求項７】
請求項６に記載の音声受信装置において、
前記空き周波数情報を要求するコマンドが装置外部から入力されたことに基づき、前記検出手段で検出を行わせて、前記空き周波数情報を前記通信用コネクタから出力する制御手段
をさらに備えたことを特徴とする音声受信装置。
【請求項８】
請求項６に記載の音声受信装置において、
前記空き周波数情報が示す周波数の中のいずれかの周波数を選択する周波数選択情報が前記通信用コネクタから入力されたことに基づき、該周波数選択情報に応じて、前記受信・復調手段に受信させる電波の周波数を設定する制御手段
をさらに備えたことを特徴とする音声受信装置。
【請求項９】
請求項６に記載の音声受信装置において、
前記受信・復調手段によって受信されている周波数の電波の受信状態を示す受信ステータス情報を作成する手段
をさらに備え、前記受信ステータス情報を前記通信用コネクタから出力する
ことを特徴とする音声受信装置。
【請求項１０】
受信した電波から音声信号を復調する受信・復調手段と、
前記受信・復調手段による電波の受信レベルに基づき、他の機器によって使用されていない電波の周波数を検出する検出手段と、
オーディオ出力端子と、
データ通信用端子と
を備え、
前記受信・復調手段によって復調された音声信号を、前記オーディオ出力端子からオーディオケーブルを通して出力し、
前記検出手段によって検出された周波数を示す空き周波数情報を、前記データ通信用端子からデータ通信ケーブルを通して出力する
ことを特徴とする音声受信装置。
【請求項１１】
音声信号を外部から入力可能なビデオカメラにおいて、
他の機器によって使用されていない電波の周波数を示す空き周波数情報が該ビデオカメラの外部から入力されたことに基づき、該空き周波数情報を、該ビデオカメラに付属している表示手段に表示させる制御手段
を備えたことを特徴とするビデオカメラ。
【請求項１２】
請求項１１に記載のビデオカメラにおいて、
前記制御手段は、前記空き周波数情報を要求する所定の操作が行われたことに応じて、前記空き周波数情報を要求するコマンドを該ビデオカメラの外部に出力する
ことを特徴とするビデオカメラ。
【請求項１３】
請求項１１に記載のビデオカメラにおいて、
前記制御手段は、前記表示手段に表示される空き周波数の中から周波数を選択する所定の操作が行われたことに応じて、該選択された周波数を示す選択結果情報を該ビデオカメラの外部に出力する
ことを特徴とするビデオカメラ。
【請求項１４】
請求項１１に記載のビデオカメラにおいて、
前記制御手段は、電波の受信状態を示すステータス情報が該ビデオカメラの外部から入力されたことに基づき、該ステータス情報を表示手段に表示させる
ことを特徴とするビデオカメラ。
【請求項１５】
マイクロホンと、該マイクロホンからの音声信号によって変調した電波を送信する変調・送信手段とを有する音声送信装置と、
前記音声送信装置から送信された電波を受信して音声信号を復調する受信・復調手段を有し、前記受信・復調手段によって復調された音声信号を装置外部に出力する音声受信装置と、
前記音声受信装置から出力される音声信号が入力されるオーディオミキサーと
から成るワイヤレス音声伝送システムにおいて、
前記音声受信装置は、
前記受信・復調手段による電波の受信レベルに基づき、他の機器によって使用されていない電波の周波数を検出する検出手段
を備え、前記検出手段によって検出された周波数を示す空き周波数情報を前記オーディオミキサーに出力し、
前記オーディオミキサーは、
前記音声受信装置から入力された前記空き周波数情報を、該オーディオミキサーに付属している表示手段に表示させる制御手段
を備えたことを特徴とするワイヤレス音声伝送システム。
【請求項１６】
音声信号のミキシングを行うオーディオミキサーにおいて、
他の機器によって使用されていない電波の周波数を示す空き周波数情報が該オーディオミキサーの外部から入力されたことに基づき、該空き周波数情報を、該オーディオミキサーに付属している表示手段に表示させる制御手段
を備えたことを特徴とするオーディオミキサー。
【請求項１７】
請求項１６に記載のオーディオミキサーにおいて、
前記制御手段は、電波の受信状態を示すステータス情報が該オーディオミキサーの外部から入力されたことに基づき、該ステータス情報を表示手段に表示させる
ことを特徴とするオーディオミキサー。
【手続補正２】
【補正対象書類名】明細書
【補正対象項目名】００１１
【補正方法】変更
【補正の内容】
【００１１】
ここで、この周波数の設定作業を迅速に行うための方法としては、ワイヤレスマイクロホン（例えば図１１のレシーバー５２）に、空き周波数を自動検出する機能と、検出した空き周波数の情報を表示する機能とを搭載することにより、ワイヤレスマイクロホンに表示されるこの情報を見て空き周波数を確認し、その空き周波数を使用周波数として設定できるようにすることが考えられる。
【手続補正３】
【補正対象書類名】明細書
【補正対象項目名】００１７
【補正方法】変更
【補正の内容】
【００１７】
また本発明は、マイクロホンと、このマイクロホンからの音声信号によって変調した電波を送信する変調・送信手段とを有する音声送信装置と、この音声送信装置から送信された電波を受信して音声信号を復調する受信・復調手段を有し、この受信・復調手段によって復調された音声信号を装置外部に出力する音声受信装置と、この音声受信装置から出力される音声信号が入力されるオーディオミキサーとから成るワイヤレス音声伝送システムにおいて、この音声受信装置は、この受信・復調手段による電波の受信レベルに基づき、他の機器によって使用されていない電波の周波数を検出する検出手段を備え、この検出手段によって検出された周波数を示す空き周波数情報をこのオーディオミキサーに出力し、このオーディオミキサーは、この音声受信装置から入力されたこの空き周波数情報を、このオーディオミキサーに付属している表示手段に表示させる制御手段を備えたワイヤレス音声伝送システムである。
【手続補正４】
【補正対象書類名】明細書
【補正対象項目名】００７１
【補正方法】変更
【補正の内容】
【００７１】
カメラマンは、取材現場に到着した際に、他の機器（取材現場に集まっている他社の取材スタッフのワイヤレスマイクロホンや、同じ地域にあるテレビジョン放送局の送出系）によってその取材現場で使用されていない空き周波数を選択するために、まずビデオカメラ２の操作パネル２１中の「空き周波数釦」を操作する。
【手続補正５】
【補正対象書類名】明細書
【補正対象項目名】００７３
【補正方法】変更
【補正の内容】
【００７３】
カメラマンは、ビューファインダー４のこの空き周波数情報の表示を見て現在の空き周波数を確認し、ビデオカメラ２の操作パネル２１中の「周波数選択釦」でいずれかの空き周波数を選択する。
【手続補正６】
【補正対象書類名】明細書
【補正対象項目名】００７６
【補正方法】変更
【補正の内容】
【００７６】
その後、カメラマンは、取材の最中に、必要に応じて（例えば、場所を移動した際や、周囲に新たな取材陣が参加してきた際に）、ビデオカメラ２の操作パネル２１中の「ステータス釦」を操作する。
【手続補正７】
【補正対象書類名】明細書
【補正対象項目名】００８０
【補正方法】変更
【補正の内容】
【００８０】
このように、このシステムによれば、ビデオカメラ２で撮影を行うカメラマンが、ビデオカメラ２の操作パネル２１の操作により、ビデオカメラ２自体のビューファインダー４に空き周波数情報を表示させて、空き周波数を確認することができる。そして、ビデオカメラ２の操作パネル２１の操作により、レシーバー１及びトランスミッター３の使用周波数を設定することができる。
【手続補正８】
【補正対象書類名】明細書
【補正対象項目名】００８２
【補正方法】変更
【補正の内容】
【００８２】
さらに、このシステムによれば、レシーバー１及びトランスミッター３の使用周波数を設定した後にも、ビデオカメラ２で撮影を行うカメラマンが、ビデオカメラ２の操作パネル２１の操作により、ビデオカメラ２自体のビューファインダー４に受信ステータスを表示させて、現在の受信状態を確認することができる。
【手続補正９】
【補正対象書類名】図面
【補正対象項目名】図１２
【補正方法】変更
【補正の内容】
【図１２】
2007036735.tif 000015